(57)【要約】【課題】堅牢性を向上させた電子機器を提供する。【解決手段】可撓性を有した表示装置１２と、前記表示装置１２を収容するとともに、前記表示装置の表示画面１２ａに対向した第１開口部１２ｄと、前記表示装置１２の外縁部１２ｂに沿って対向した第２開口部２２ｄとが形成された筐体１１と、前記表示装置１２の外縁部１２ｂと前記筐体１２との間に設けられ、前記第２開口部２２ｄから露出させたアンテナ２５と、絶縁性を有するとともに、前記第２開口部２２ｄを覆う第１面２３ａと、この第１面２３ａとは交差する方向から前記第２開口部２２ｄを覆う第２面２３ｂとを有したアンテナカバー２３とを具備する。【選択図】  図４
2010224985.tif 000002
【特許請求の範囲】
【請求項１】
可撓性を有した表示装置と、
前記表示装置を収容するとともに、前記表示装置の表示画面に対向した第１開口部と、前記表示装置の外縁部に沿って対向した第２開口部とが形成された筐体と、
前記表示装置の外縁部と前記筐体との間に設けられ、前記第２開口部から露出させたアンテナと、
絶縁性を有するとともに、前記第２開口部を覆う第１面と、この第１面とは交差する方向から前記第２開口部を覆う第２面とを有したアンテナカバーと、
を具備することを特徴とする電子機器。
【請求項２】
前記筐体は、可撓性を有するとともに、前記表示画面が設けられた前記表示装置の表面に対向したマスク部と、前記表面とは反対側に位置する前記表示装置の背面に対向したカバー部とを備えたことを特徴とする請求項１に記載の電子機器。
【請求項３】
前記表示画面が露出する位置と、前記表示画面が覆われる位置との間で回動可能に設けられ、前記筐体を支持した支持部を更に備えたことを特徴とする請求項２に記載の電子機器。
【請求項４】
前記筐体の第２開口部は、前記支持部と接続した接続部から、前記表示画面を隔てた位置に形成されたことを特徴とする請求項３に記載の電子機器。
【請求項５】
前記アンテナカバーの第１面は、前記表示装置の表面と背面とに亘って設けられた側面に対向し、前記アンテナカバーの第２面は、前記カバー部に沿う方向で設けられたことを特徴とする請求項４に記載の電子機器。
【請求項６】
前記アンテナカバーの第１面は、前記マスク部側に突出した突出部を有したことを特徴とする請求項５に記載の電子機器。
【請求項７】
前記支持部は、前記表示画面が覆われる位置で前記表示画面と対向する面とは反対側に位置する載置面を有し、
前記突出部は、前記載置面に至る位置まで突出して形成されたことを特徴とする請求項６に記載の電子機器。
【請求項８】
前記支持部は、前記表示画面が覆われる位置で前記突出部を収容する収容開口部を有したことを特徴とする請求項６に記載の電子機器。
【請求項９】
前記アンテナカバーの第１面は、両端を曲げて形成された屈折部を有し、前記表示装置の側面を３方向から覆ったことを特徴とする請求項６に記載の電子機器。
【請求項１０】
表示画面を有した表示装置と、
前記表示装置を収容するとともに、前記表示画面に対向した第１開口部と、前記表示装置の外縁部に沿って対向した第２開口部とが形成された筐体と、
前記表示画面が露出する位置と、前記表示画面が覆われる位置との間で回動可能に設けられ、前記筐体を支持した支持部と、
前記第２開口部を覆う第１面と、この第１面とは交差する方向から前記第２開口部を覆う第２面とを有したカバーと、
前記第１面から突出して形成され、前記表示画面が覆われる位置にある支持部の一部を覆う突出と、
を具備することを特徴とする電子機器。
【発明の詳細な説明】
【技術分野】
【０００１】
本発明は、電子機器に関する。
【背景技術】
【０００２】
電波遮蔽性のある筐体を採用するのと同時に、安定した無線通信を可能とした携帯情報端末が開示されている。この携帯情報端末は、本体と、本体にヒンジ等により開閉自在に取り付けられたリアカバーと、リアカバーの内側に取り付けられる液晶ディスプレイと、を備えている。リアカバーは、導電性のある炭素繊維強化樹脂で形成されている。リアカバーは、その外側に長方形の凹所を有している。この凹所の内側に板状のアンテナが装着される。
【０００３】
この携帯情報端末では、板状のアンテナが導電性の筐体の外側に設けられているため、筐体によって電波が遮蔽されることがなく、無線通信が安定する（例えば、特許文献１参照）。
【先行技術文献】
【特許文献】
【０００４】
【特許文献１】特開２００６−１３７９７号公報
【発明の概要】
【発明が解決しようとする課題】
【０００５】
しかしながら、従来の技術では、可撓性を有した薄型の表示装置を収容した筐体にアンテナカバーを設けることについて考慮されていない。例えば、特許文献１に示すような装置では、アンテナカバーは表示装置を収容した筐体の一面に、別体として構成されるため、表示装置に追従して撓むことで、筐体との接合部が破壊されてしまう可能性がある。
【０００６】
本発明の目的は、堅牢性を向上させることができる電子機器を提供することにある。
【課題を解決するための手段】
【０００７】
前記目的を達成するため、本発明の一つの形態に係る電子機器は、可撓性を有した表示装置と、前記表示装置を収容するとともに、前記表示装置の表示画面に対向した第１開口部と、前記表示装置の外縁部に沿って対向した第２開口部とが形成された筐体と、前記表示装置の外縁部と前記筐体との間に設けられ、前記第２開口部から露出させたアンテナと、絶縁性を有するとともに、前記第２開口部を覆う第１面と、この第１面とは交差する方向から前記第２開口部を覆う第２面とを有したアンテナカバーと、を具備する。
【発明の効果】
【０００８】
上記の構成によれば、堅牢性を向上させることができる電子機器を提供できる。
【図面の簡単な説明】
【０００９】
【図１】本発明の第１の実施形態に係るポータブルコンピュータの斜視図。
【図２】本発明の第１の実施形態に係るポータブルコンピュータの斜視図。
【図３】本発明の第１の実施形態に係るポータブルコンピュータの斜視図。
【図４】本発明の第１の実施形態に係る表示ユニットの断面図。
【図５】本発明の第１の実施形態に係る表示ユニットのカバーの斜視図。
【図６】図４中に示された表示ユニットの一点鎖線Ｆ４で囲まれた領域を拡大して示す断面図。
【図７】本発明の第２の実施形態に係るポータブルコンピュータの斜視図。
【図８】本発明の第２の実施形態に係る表示ユニットの断面図。
【図９】本発明の第３の実施形態に係る表示ユニットの断面図。
【図１０】本発明の第４の実施形態に係る表示ユニットの断面図。
【図１１】本発明の第５の実施形態に係るポータブルコンピュータの斜視図。
【図１２】本発明の第６の実施形態に係るポータブルコンピュータの斜視図。
【発明を実施するための形態】
【００１０】
以下に、本発明の実施の形態をポータブルコンピュータに適用した図面を参照しながら説明する。図１ないし図６は、本発明の第１の実施形態に係る電子機器としてのポータブルコンピュータ１を開示している。図１は、ポータブルコンピュータ１の全体を示す。図１に示すように、ポータブルコンピュータ１は、本体２と、表示ユニット３とを備えている。尚本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１１】
本体２は、箱状に形成された本体筐体５を備える。本体筐体５は、上壁５ａ、周壁５ｂ１，５ｂ２，５ｂ３，５ｂ４、および下壁５ｃを有する。上壁５ａは、キーボード６を支持している。本体筐体５は、周壁５ｂ１〜５ｂ４の一部と上壁５ａとを含む筐体カバー７と、周壁５ｂ１〜５ｂ４の一部と下壁５ｃとを含む筐体ベース８とを有する。筐体カバー７は、筐体ベース８に対して組み合わされ、筐体ベース８との間に例えばメインボード（図示しない）を収容する収容空間を形成している。
【００１２】
図１及び図２に示すように、表示ユニット３は、可撓性を有するとともに、箱状に形成された表示部筐体１１と、可撓性を有するとともに、表示部筐体１１に収容された表示装置１２とを備える。ここで、可撓性とは、図２に示すように、表示ユニットの前後方向に撓む性質を示す。
【００１３】
表示部筐体１１は、本発明でいう筐体の一例であり、以下では単に筐体１１と略称する。表示装置１２の一例は液晶表示モジュールであるが、本発明でいう表示装置はこれに限らず、例えばプラズマディスプレイや有機エレクトリックルミネッセンスディスプレイなど種々の表示装置であってもよい。表示装置１２は、表示画面１２ａと、当該表示画面１２ａの周囲に位置する外縁部１２ｂを有するとともに、表示画面１２ａが設けられた表面１２０ａと、表面１２０ａとは反対側に位置する背面１２０ｃと、表面１２０ａと背面１２０ｃとに亘って設けられた側面表面１２０ｂ１，１２０ｂ２，１２０ｂ３，１２０ｂ４とを有する。
【００１４】
表示ユニット３は、本体筐体５の後端部に一対の本体ヒンジ部１３ａ，１３ｂを介して支持されている。そのため、表示ユニット３は、上壁５ａを露出させるように起立する開き位置（図１参照）Ｐ１と、本体筐体５の上壁５ａを上方から覆うように倒される閉じ位置（図３参照）Ｐ２との間で回動可能である。尚、筐体１１は表示装置１２と同様、可撓性を有する。即ち、筐体１１は表示装置１２に追従して撓む性質を有する。
【００１５】
図４は、表示ユニット３の断面図を示す。図１ないし図４に示すように、表示ユニット３の筐体１１は、表示装置１２の前側（すなわちユーザー側）に位置する前壁１１ａと、表示装置１２の背後側に位置する背壁１１ｃと、前壁１１ａの周縁部と背壁１１ｃの周縁部との間を繋ぐ周壁１１ｂ１，１１ｂ２，１１ｂ３，１１ｂ４とを有する。前壁１１ａには、表示画面１２ａを筐体１１の外部に露出させる開口部１１ｄが形成されている。
【００１６】
この筐体１１は、周壁１１ｂ１〜１１ｂ４の一部と前壁１１ａとを含むマスク部１５と、周壁１１ｂ１〜１１ｂ４の一部と背壁１１ｃとを含むとともに表示装置１２に対してマスク部１５とは反対側に位置するカバー部１６とを有する。筐体１１は、このマスク部１５とカバー部１６とが互いに組み合わされて形成されている。
【００１７】
本実施形態では、筐体１１は、周壁１１ｂ１〜１１ｂ４の一部と前壁１１ａとを含むＬＣＤマスク２１と、周壁１１ｂ１〜１１ｂ４の一部と背壁１１ｃの一部とを含むＬＣＤカバー２２と、表示装置１２の外縁部１２ｂに沿ってＬＣＤカバー２２に形成されるとともに、アンテナ２５の少なくとも一部を露出させた開口部２２ｄと、周壁１１ｂ１〜１１ｂ４の一部と背壁１１ｃの一部を含むアンテナカバー２３とを備える。すなわち本実施形態では、ＬＣＤマスク２１が上記マスク部１５の一例を形成している。さらに、ＬＣＤカバー２２とアンテナカバー２３とが互いに協働して上記カバー部１６の一例を形成している。つまりアンテナカバー２３は、カバー部１６の一部である。
【００１８】
図４に示すように、筐体１１は、アンテナ２５を収容している。本発明に係るアンテナ２５の種類は特に限定されるものではなく、例えばＢｌｕｅｔｏｏｔｈ（登録商標）や無線ＬＡＮ、無線ＷＡＮ、ＷｉＭＡＸ、ＵＷＢ、ＧＰＳ、または携帯電話方式に対応した種々のものが具体例として挙げられる。
【００１９】
アンテナカバー２３は、アンテナ２５が実装される領域に設けられ、アンテナ２５に対向している。図３および図４に示すように、アンテナカバー２３は、筐体１１において本体ヒンジ１３ａ，１３ｂに臨む端部とは反対側の端部、すなわち表示ユニット３を開き位置にしたときに上端部となる領域に設けられている。アンテナカバー２３は、筐体１１の端部において、筐体１１の周囲稜の一つに沿って筐体１１の幅方向に延びている。
【００２０】
アンテナカバー２３は、ＬＣＤカバー２２とは別体に成形されている。ＬＣＤカバー２２の一例は、金属製であり、例えばマグネシウム合金のような金属で造られている。アンテナカバー２３は、非金属製であり、例えばプラスチックで造られている。このようなアンテナカバー２３を備えると、例えばＬＣＤカバー２２が金属製である場合であっても、アンテナ２５による送受信を良好に行うことができる。
【００２１】
なお、ＬＣＤカバー２２は、金属製に限られるものではなく、例えばプラスチック製であってもよい。また、ＬＣＤマスク２１の一例は、プラスチック製である。
図４に示すように、アンテナカバー２３には、ＬＣＤカバー２２に溶着される溶着部２６が設けられている。アンテナカバー２３は、上記溶着部２６をＬＣＤカバー２２に溶着することでＬＣＤカバー２２に固定されている。
【００２２】
図５及び図６に示すように、アンテナカバー２３は、ＬＣＤマスク２１と一体に成形されている。本実施例のアンテナカバー２３は、表示装置１２の側面１２０ｂ１と対向した第１面部２３ａと、ＬＣＤカバー２２に沿う方向に設けられた第２面部２３ｂとを有する。第１面部２３ａと第２面部２３ｂとは角度θを形成するように接合される。ここでは角度θが、略直交に設けられた例を示すが、鋭角又は鈍角であっても良い。このような構成にすることで、表示装置１２に追従する撓みを抑制することができる。
【００２３】
第１面部２３ａと第２面部２３ｂとの肉厚は、例えばＬＣＤカバー２２の基本肉厚よりも厚い。なお「基本肉厚」とは、その部材のなかで最も広く採用されている肉厚を指す。ＬＣＤカバー２２の基本肉厚は、例えば１．０ｍｍ未満であり、一例としては０．５ｍｍ〜０．８ｍｍである。一方、第１面部２３ａと第２面部２３ｂとの肉厚は、例えば１．０ｍｍである。なお、第１面部２３ａと第２面部２３ｂと接合形状は、Ｌ字型に限定されるものではなく、平状に比べて断面係数が大きくなる形状であればよく、例えばＨ型やアーチ型、Ｔ型でなどの種々の形状を適宜採用することができる。
【００２４】
また、図５に示すように、ＬＣＤマスク２１の内壁面２１ｂには、第１の嵌合部としての嵌合爪４１が設けられている。アンテナカバー２３の内壁面２３ｂには、第２の嵌合部としての受けリブ４２が設けられている。受けリブ４２には、嵌合爪４１が係合可能な穴４２ａが設けられている。図５に示すように、筐体が組み立てられたとき、嵌合爪４１は受けリブ４２の穴４２ａに嵌合し、これによりＬＣＤマスク２１とアンテナカバー２３との間の固定が強固になる。
【００２５】
このような嵌合爪４１および受けリブ４２は、例えばそれぞれ複数箇所に設けられている。なお上記に代えて、ＬＣＤマスク２１に受けリブ４２を設けるとともに、アンテナカバー２３に嵌合爪４１を設けてよいのは勿論である。
【００２６】
図１に示すように、筐体１１の幅方向の両端部には、ＬＣＤマスク２１をＬＣＤカバー２２に固定するねじ４５と、このねじ４５を筐体１１の外部から隠す化粧部材４６が設けられている。一方、アンテナカバー２３をＬＣＤカバー２２またはＬＣＤマスク２１に固定するねじなどは設けられていない。
【００２７】
例えばアンテナ２５およびアンテナカバー２３を備える場合、アンテナ２５から一定範囲内には、例えば表示装置のような金属を含む部品を配置することができない。このため筐体１１内においてアンテナカバー２３の周辺にはデッドスペースが生じやすい。本実施形態の第１面部２３ａは、このデッドスペースを有効利用して設けられたものである。すなわちこのような第１面部２３ａを設けることによっても、筐体１１の大型化を避けて、小型のポータブルコンピュータ１を提供することができる。さらに、このアンテナカバー２３が表示装置１２の外縁部１２ｂの延伸方向に沿って延びていると、筐体１１の幅方向に一本の梁が通ることになり、筐体１１の剛性が高くなる。
【００２８】
上述したように、筐体１１内においてアンテナカバー２３の周辺にはデッドスペースが生じやすい。第１面部２３ａと第２面部２３ｂとの肉厚をカバー部１６の基本肉厚よりも厚くしても、筐体１１の大型化を避けつつ、筐体１１の剛性をより高めることができる。
【００２９】
アンテナカバー２３が設けられる筐体１１の上端部は、表示ユニット３を本体２に対して開閉する際にユーザがよく手にする部分であり、十分な剛性を有することが好ましい。しかしながら、ＬＣＤマスク２１やＬＣＤカバー２２とは別体にアンテナカバー２３を設けると、どうしても筐体１１の上端部の剛性が小さくなってしまう。
【００３０】
一方、本実施形態によれば、アンテナカバー２３をＬＣＤマスク２１と一体に成形するとともに、アンテナカバー２３とＬＣＤマスク２１との間の境界部分に沿って一本の第１面部２３ａと第２面部２３ｂとが内角θを形成して通っている。これにより、アンテナカバー２３を設けた筐体１１の上端部に十分な剛性を確保することができる。
【００３１】
ＬＣＤカバー２２が金属製であると、非金属製のアンテナカバー２３は必然的にＬＣＤカバー２２とは別体に形成されることになる。しかしながら本実施形態によれば、このようなポータブルコンピュータ１においても、筐体１１の剛性・堅牢性の向上を図ることができる。
【００３２】
次に、本発明の第２の実施形態に係る電子機器としてのポータブルコンピュータ１について、図７及び図８を参照して説明する。なお第１の実施形態に係るポータブルコンピュータと同一または類似の機能を有する構成は、同一の符号を付してその説明を省略する。この第２の実施形態は、上記第１の実施形態に対してアンテナカバー２３及び本体２の本体筐体５の形状が異なる。第２の実施形態のポータブルコンピュータ１は、図１に示すものとほぼ同様の外観を有している。表示ユニット３は、図１に示す第１の位置Ｐ１と、図３に示すような第２の位置Ｐ２との間で回転することができる。
【００３３】
ポータブルコンピュータ１は、本体２と、表示ユニット３とを備えている。表示ユニット３は、筐体１１と、この筐体１１に収容された表示装置１２とを備える。筐体１１は、マスク部１５と、カバー部１６とを有する。
【００３４】
図７及び図８に示すように、第２の実施形態のポータブルコンピュータ１におけるアンテナカバー２３は、第１面部２３ａから延出して形成されるとともに、本体筐体５の周壁５ｂ１に向かって突出した突出部２３ｃを有している。また、第２の実施形態の本体筐体５は、第２の位置Ｐ２で突出部２３ｃを収容する収容開口部５ｄを有する。突出部２３ｃは、第２の位置Ｐ２で収容開口部５ｄの底壁５ｄ１と当接する。
【００３５】
このような構成によれば、表示ユニット３を第１の位置Ｐ１から第２の位置Ｐ２に回動する際に表示ユニット３に生じる衝撃を突出部２３ｃによって受けることができる。このとき、収容開口部５ｄの底壁５ｄ１に衝突して突出部２３ｃにおいて生じた応力は、筐体１１と別体に形成されたＬＣＤカバー２２で分散される。これによって、筐体１１に収容された表示装置８にかかるストレスを抑制することができる。尚、ここでは第２の位置Ｐ２で突出部２３ｃが収容開口部５ｄに収容される例を示したが、第２の位置Ｐ２で突出部２３ｃが本体筐体５の上壁５ａに当接する形態でも良い。この場合でも同様の効果を得られる。
【００３６】
次に、本発明の第３の実施形態に係る電子機器としてのポータブルコンピュータ１について、図９を参照して説明する。なお第１の実施形態に係るポータブルコンピュータと同一または類似の機能を有する構成は、同一の符号を付してその説明を省略する。この第３の実施形態は、上記第１の実施形態に対してアンテナカバー２３の形状が異なる。第３の実施形態のポータブルコンピュータ１は、図１に示すものとほぼ同様の外観を有している。表示ユニット３は、図１に示す第１の位置Ｐ１と、図３に示すような第２の位置Ｐ２との間で回転することができる。
【００３７】
ポータブルコンピュータ１は、本体２と、表示ユニット３とを備えている。表示ユニット３は、筐体１１と、この筐体１１に収容された表示装置１２とを備える。筐体１１は、マスク部１５と、カバー部１６とを有する。
【００３８】
図９に示すように、第３の実施形態のポータブルコンピュータ１におけるアンテナカバー２３は、第１面部２３ａから延出して形成されるとともに、本体筐体５の下壁５ｃに至るまで突出した突出部２３ｃを有している。突出部２３ｃは、表示ユニット３を第１の位置Ｐ１から第２の位置Ｐ２に勢いをつけて回動した際に、表示ユニット３の回動方向への撓みにより下壁５ｃより低い位置に達する。即ち、表示ユニット３を第１の位置Ｐ１から第２の位置Ｐ２に勢いをつけて回動した場合、例えば机の天板等の外部載置面に突出部２３ｃが衝突する。
【００３９】
このような構成によれば、表示ユニット３を第１の位置Ｐ１から第２の位置Ｐ２に回動する際に表示ユニット３に生じる衝撃を突出部２３ｃによって受けることができ、第２の実施形態のポータブルコンピュータ１と同様の効果を得られる。また、突出部２３ｃは、本体筐体５の周壁５ｂ１を覆っているため、周壁５ｂ１側からの衝撃から本体筐体５を保護することができる。
【００４０】
次に、本発明の第４の実施形態に係る電子機器としてのポータブルコンピュータ１について、図１０を参照して説明する。なお第２の実施形態に係るポータブルコンピュータと同一または類似の機能を有する構成は、同一の符号を付してその説明を省略する。この第４の実施形態は、上記第２の実施形態に対してアンテナカバー２３の形状が異なる。第４の実施形態のポータブルコンピュータ１は、図１に示すものとほぼ同様の外観を有している。
【００４１】
図１０に示すように、第４の実施形態のポータブルコンピュータ１におけるＬＣＤカバー２２は、第１面部２３ａから延出して形成されるとともに、本体筐体５の周壁５ｂ１に向かって突出した突出部２３ｃと、本体筐体５とは反対側に突出した突出部２３ｄとを有している。また、第２の実施形態と同様、本体筐体５は、第２の位置Ｐ２で突出部２３ｃを収容する収容開口部５ｄを有する。突出部２３ｃは、第２の位置Ｐ２で収容開口部５ｄの底壁５ｄ１と当接する。
【００４２】
このような構成によれば、表示ユニット３を第１の位置Ｐ１から第２の位置Ｐ２に回動する際に表示ユニット３に生じる衝撃を突出部２３ｃによって受けることができる。また、突出部２３ｄは、本体筐体５の周壁５ｂ１より外側に位置するため、例えば周壁５ｂ１側からポータブルコンピュータ１を落とした際、本体筐体５を保護することができる。即ち、第２の実施形態と第３の実施形態とを合わせた効果を得ることができる。
【００４３】
次に、本発明の第５の実施形態に係る電子機器としてのポータブルコンピュータ１について、図１１を参照して説明する。なお第１の実施形態に係るポータブルコンピュータと同一または類似の機能を有する構成は、同一の符号を付してその説明を省略する。この第５の実施形態は、上記第１の実施形態に対してアンテナカバー２３の形状が異なる。第５の実施形態のポータブルコンピュータ１は、図１に示すものとほぼ同様の外観を有している。
【００４４】
図１１に示すように、第５の実施形態のポータブルコンピュータ１におけるアンテナカバー２３は、第１面部２３ａと第２面部２３ｂとが筐体１１の周壁１１ｂ２から周壁１１ｂ４に亘って設けられている。このような構成により、第５の実施形態のポータブルコンピュータ１では、アンテナカバー２３及びＬＣＤカバー２２における剛性が第１の実施形態以上に向上する。
【００４５】
次に、本発明の第６の実施形態に係る電子機器としてのポータブルコンピュータ１について、図１２を参照して説明する。なお第１の実施形態に係るポータブルコンピュータと同一または類似の機能を有する構成は、同一の符号を付してその説明を省略する。この第６の実施形態は、上記第１の実施形態に対してアンテナカバー２３の形状が異なる。第６の実施形態のポータブルコンピュータ１は、図１に示すものとほぼ同様の外観を有している。
【００４６】
図１２に示すように、第６の実施形態のポータブルコンピュータ１におけるＬＣＤカバー２２は、第１面部２３ａと第２面部２３ｂとが筐体１１の周壁１１ｂ２から周壁１１ｂ４に亘って設けられているとともに、周壁１１ｂ２と周壁１１ｂ４との一部として構成される。このような構成により、第６の実施形態のポータブルコンピュータ１では、アンテナカバー２３及びＬＣＤカバー２２における剛性が第１の実施形態以上に向上する。また、周壁１１ｂ２側及び周壁１１ｂ４側からの外部応力に対する耐久性が向上する。
【００４７】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。また、電子機器は、上記実施形態に示したポータブルコンピュータ１用に限らず、例えば携帯電話機のようなその他の電子機器に対しても実施可能である。
【符号の説明】
【００４８】
１…ポータブルコンピュータ
５ａ…上壁
５ｂ１，５ｂ２，５ｂ３，５ｂ４…周壁
５ｃ…下壁
１１…表示部筐体
１１ａ…前壁
１１ｂ１，１１ｂ２，１１ｂ３，１１ｂ４…周壁
１１ｃ…背壁
１１ｄ…開口部
１２…表示装置
１２ａ…表示画面
１２ｂ…外縁部
１５…マスク部
１６…カバー部
２１…ＬＣＤマスク
２２…ＬＣＤカバー
２２ｄ…開口部
２３…アンテナカバー
２３ａ…第１面
２３ｂ…第２面
２５…アンテナ
１２０ａ…表面
１２０ｃ…背面
１２０ｂ１，１２０ｂ２，１２０ｂ３，１２０ｂ４…側面
Ｐ１…開き位置
Ｐ２…閉じ位置
【図１】
2010224985.tif 000003
【図２】
2010224985.tif 000004
【図３】
2010224985.tif 000005
【図４】
2010224985.tif 000006
【図５】
2010224985.tif 000007
【図６】
2010224985.tif 000008
【図７】
2010224985.tif 000009
【図８】
2010224985.tif 000010
【図９】
2010224985.tif 000011
【図１０】
2010224985.tif 000012
【図１１】
2010224985.tif 000013
【図１２】
2010224985.tif 000014